(57)【要約】【課題】  ユーザが煩雑な削除作業を行わなくても、不要な参照情報を整理できる携帯端末、携帯端末の制御方法及びプログラムを提供する。【解決手段】  ユーザが操作部１２から所望のコンテンツの取得指示を入力すると、ブラウザ部２２が、参照情報格納部に格納された参照情報に基づいて、所望のコンテンツのデータをサーバに要求する。サーバ側では、当該参照情報の有無を確認し、削除されている場合には、当該参照情報により指示されるデータの取得不能をブラウザ部２２に通知する。表示制御部２０は、ブラウザ部２２が上記通知を受け取ると、表示部１０に当該参照情報を削除するか否かをユーザに問い合わせる画面を表示し、ユーザから削除指示が入力されると、参照情報管理部２４が参照情報格納部に格納された当該参照情報を削除する。【選択図】        図１
2006301788.tif 000002
【特許請求の範囲】
【請求項１】
通信ネットワーク上のコンテンツを出力可能な携帯端末であって、
前記コンテンツを参照するための参照情報を格納する参照情報格納手段と、
前記参照情報に基づきコンテンツのデータを取得するデータ取得手段と、
前記データ取得手段が、所望のコンテンツのデータは取得不能である旨の通知を受け取ったときに、前記参照情報格納手段から当該コンテンツに対応する参照情報を削除する参照情報管理手段と、
を備えることを特徴とする携帯端末。
【請求項２】
請求項１記載の携帯端末において、前記所望のコンテンツのデータが取得不能である旨の通知は、ＨＴＴＰプロトコルのステータスコードの第４０４または第４１０であることを特徴とする携帯端末。
【請求項３】
通信ネットワーク上のコンテンツを出力可能な携帯端末であって、
前記参照情報に基づきコンテンツのデータを取得するデータ取得手段と、
前記データ取得手段が、所望のコンテンツのデータは取得不能である旨の通知を受け取ったときに、前記コンテンツと同一の格納場所に格納されている他のコンテンツの参照情報を取得する代替情報取得手段と、
を備えることを特徴とする携帯端末。
【請求項４】
請求項３記載の携帯端末は、前記代替情報取得手段が取得した他の参照情報を表示する表示手段を備えることを特徴とする携帯端末。
【請求項５】
通信ネットワーク上のコンテンツを出力可能な携帯端末の制御方法であって、
前記コンテンツを参照するための参照情報を格納するステップと、
前記参照情報に基づきコンテンツのデータを取得するステップと、
前記コンテンツのデータは取得不能である旨の通知を受け取ったときに、当該コンテンツに対応する参照情報を削除するステップと、
を備えることを特徴とする携帯端末の制御方法。
【請求項６】
通信ネットワーク上のコンテンツを参照するための参照情報を格納し、
前記参照情報に基づきコンテンツのデータを取得し、
前記コンテンツのデータは取得不能である旨の通知を受け取ったときに、当該コンテンツに対応する参照情報を削除する処理をコンピュータに実行させることを特徴とするプログラム。
【発明の詳細な説明】
【技術分野】
【０００１】
本発明は、通信ネットワーク上のコンテンツを参照するための参照情報を用い、前記コンテンツを表示可能な携帯端末の改良に関する。
【背景技術】
【０００２】
従来より、インターネットのような通信ネットワーク上のコンテンツを表示することができる携帯端末が実用化されている。このような携帯端末では、予め通信ネットワーク上に存在しているコンテンツを参照するための参照情報を記憶しておき、コンテンツを参照する際には、対応する参照情報を呼び出して所望のコンテンツにアクセスする構成が採用されている。
【０００３】
例えば、下記特許文献１には、コンテンツを特定するＵＲＬ（Ｕｎｉｆｏｒｍ  Ｒｅｓｏｕｒｃｅ  Ｌｏｃａｔｏｒ）が変更されたときに、ブックマークに登録されているＵＲＬを自動更新することができる移動無線端末装置が開示されている。
【特許文献１】特開２００４−１１００９４号公報
【発明の開示】
【発明が解決しようとする課題】
【０００４】
しかし、上記従来の技術においては、所望のコンテンツがアクセスできない状態となっている場合に、ユーザは利用できないＵＲＬ等の参照情報を削除する操作をする必要があり、操作が煩雑であるという問題があった。
【０００５】
また、ＵＲＬが変更された時にブックマークを自動更新する従来の構成では、利用できないＵＲＬをユーザが削除する操作を不要とできるが、ＵＲＬがサーバから削除され、新たなアクセス先が指定されていない場合には対応できず、ユーザの削除作業を不要とはできないという問題があった。
【０００６】
本発明は、上記従来の課題に鑑みなされたものであり、その目的は、ユーザが煩雑な削除作業を行わなくても、不要な参照情報を整理できる携帯端末、携帯端末の制御方法及びプログラムを提供することにある。
【課題を解決するための手段】
【０００７】
上記目的を達成するために、本発明は、通信ネットワーク上のコンテンツを出力可能な携帯端末であって、前記コンテンツを参照するための参照情報を格納する参照情報格納手段と、前記参照情報に基づきコンテンツのデータを取得するデータ取得手段と、前記データ取得手段が、所望のコンテンツのデータは取得不能である旨の通知を受け取ったときに、前記参照情報格納手段から当該コンテンツに対応する参照情報を削除する参照情報管理手段と、を備えることを特徴とする。ここで、上記所望のコンテンツのデータが取得不能である旨の通知は、ＨＴＴＰプロトコルのステータスコードの第４０４または第４１０であることを特徴とする。
【０００８】
また、本発明は、通信ネットワーク上のコンテンツを出力可能な携帯端末であって、前記参照情報に基づきコンテンツのデータを取得するデータ取得手段と、前記データ取得手段が、所望のコンテンツのデータは取得不能である旨の通知を受け取ったときに、前記コンテンツと同一の格納場所に格納されている他のコンテンツの参照情報を取得する代替情報取得手段と、を備えることを特徴とする。
【０００９】
また、上記携帯端末は、前記代替情報取得手段が取得した他の参照情報を表示する表示手段を備えることを特徴とする。
【００１０】
また、本発明は、通信ネットワーク上のコンテンツを出力可能な携帯端末の制御方法であって、前記コンテンツを参照するための参照情報を格納するステップと、前記参照情報に基づきコンテンツのデータを取得するステップと、前記コンテンツのデータは取得不能である旨の通知を受け取ったときに、当該コンテンツに対応する参照情報を削除するステップと、を備えることを特徴とする。
【００１１】
また、本発明は、通信ネットワーク上のコンテンツを参照するための参照情報を格納し、前記参照情報に基づきコンテンツのデータを取得し、前記コンテンツのデータは取得不能である旨の通知を受け取ったときに、当該コンテンツに対応する参照情報を削除する処理をコンピュータに実行させるプログラムであることを特徴とする。
【発明の効果】
【００１２】
本発明によれば、参照情報管理手段がデータ取得不能のコンテンツの参照情報を削除するので、ユーザが煩雑な削除作業を行う必要がない。
【発明を実施するための最良の形態】
【００１３】
以下、本発明を実施するための最良の形態（以下、実施形態という）を、図面に従って説明する。
【００１４】
図１には、本発明にかかる携帯端末の一実施形態の構成のブロック図が示される。図１において、携帯端末は、表示部１０、操作部１２、記憶部１４、通信部１６及び制御部１８を含んで構成されている。
【００１５】
表示部１０は、例えば液晶ディスプレイ等で構成され、文字データ、数値データ等のキー入力の内容、各種図形、ブラウザ部２２が発生した通信ネットワーク上のコンテンツの内容等を表示する。
【００１６】
上記キー入力は、図１の操作部１２により行う。この操作部１２は、例えば携帯端末の操作ボタン等により構成される。
【００１７】
記憶部１４は、例えばＣＰＵの作業用のＲＡＭ、不揮発性メモリとしてのフラッシュメモリ、磁気記憶媒体等で構成されており、キー入力の内容、コンテンツの内容、コンテンツを参照するための参照情報等の各種データ及びプログラムが記憶される。
【００１８】
通信部１６は、公知の方法により基地局と通信して携帯通信端末としての通話機能を実現している。
【００１９】
制御部１８は、例えばＣＰＵ等で構成され、表示部１０、操作部１２、記憶部１４及び通信部１６とデータのやり取りを行いながらこれらの動作を制御する。
【００２０】
制御部１８の表示制御部２０は、主として表示部１０に表示される内容を制御する。この表示には、コンテンツの表示も含まれる。
【００２１】
また、ブラウザ部２２は、通信ネットワーク上に存在するコンテンツを参照するための参照情報を用いてコンテンツにアクセスし、コンテンツのデータを所望のウェブサイトから受け取って表示データに変換する。なお、コンテンツには音声データも含まれていてよく、この場合、ブラウザ部２２は、通信部１６に含まれる音声再生部から音声を出力させるように構成される。上記参照情報としては、インターネット上のコンテンツを特定し、このコンテンツの所在を指示するＵＲＬ（Ｕｎｉｆｏｒｍ  Ｒｅｓｏｕｒｃｅ  Ｌｏｃａｔｏｒ）等を使用することができる。
【００２２】
また、参照情報管理部２４は、ブラウザ部２２が、通信ネットワーク上のサーバから、所望のコンテンツのデータは取得不能である旨の通知を受け取ったときに、記憶部１４に記憶された当該コンテンツに対応する参照情報を削除する。
【００２３】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２４】
図２（ａ）、（ｂ）及び図３（ａ）、（ｂ）には、上記記憶部１４の記憶領域に形成された参照情報格納部の構成例が示される。
【００２５】
図２（ａ）は、通信ネットワーク上のコンテンツ等の名称が登録されたいわゆるブックマークの例であり、図２（ｂ）は、図２（ａ）に登録されたコンテンツ等の参照情報としてＵＲＬが格納されている。図２（ａ）に登録されたコンテンツ等の名称と図２（ｂ）に格納されたＵＲＬとは、識別情報（ＩＤ）を介して１対１に対応付けられている。
【００２６】
ここで、図２（ａ）に示された名称Ａのコンテンツが既に削除済である場合に、上記ブラウザ部２２が、通信ネットワーク上のサーバに名称Ａのコンテンツデータを要求すると、サーバから、当該コンテンツのデータが取得不能である旨の通知を受け取る。このとき、参照情報管理部２４は、記憶部１４に記憶された名称Ａのコンテンツに対応する参照情報を削除する。図３（ａ）、（ｂ）は、名称Ａのコンテンツに対応する参照情報が削除された場合の参照情報格納部の例である。
【００２７】
図４には、通信ネットワーク上のサーバが保持しているあるディレクトリに格納されたＵＲＬの一覧が示される。図４の例では、当初登録されていた“http://saiya.msre.tsuzuki-ku.ac.jp/〜ms/home2.html”が削除された場合が示されている。
【００２８】
図５には、ブラウザ部２２が、通信ネットワーク上のサーバに上記削除されているＵＲＬにより指示されるデータを要求したときに、サーバから当該データが取得不能である旨の通知を受け取った場合の表示部１０に表示される画面の例が示される。図５において、ブラウザ部２２は、サーバから上記削除されたＵＲＬが格納されていた格納場所（ディレクトリ）に現在格納されている他のＵＲＬを取得し、表示制御部２０がこのＵＲＬの一覧を表示部１０に表示する。
【００２９】
図６には、図１に示された携帯端末の動作の例のフローが示される。図６において、ユーザが操作部１２から所望のコンテンツの取得指示を入力すると、ブラウザ部２２が、図２（ａ）、（ｂ）に示される参照情報格納部に格納された参照情報に基づいて、所望のコンテンツのデータを通信部１６を介して通信ネットワーク上のサーバに要求する（Ｓ１）。この場合、ブラウザ部２２は、本発明のデータ取得手段として機能する。サーバ側では、当該参照情報の有無を確認し、削除されている場合には、当該参照情報により指示されるデータの取得不能を携帯端末のブラウザ部２２に通知する（Ｓ２）。このデータの取得不能通知は、例えばＨＴＴＰプロトコルのステータスコードの第４０４（not found）または第４１０（Gone）である。
【００３０】
表示制御部２０は、ブラウザ部２２が上記通知を受け取ると、表示部１０に当該参照情報を削除するか否かをユーザに問い合わせる画面を表示する（Ｓ３）。ユーザから当該参照情報を削除する旨の指示入力があると（Ｓ４）、参照情報管理部２４が図２（ａ）、（ｂ）に示された参照情報格納部に格納された当該参照情報を削除する（Ｓ５）。例えば、削除される参照情報が図２（ａ）、（ｂ）に示される名称Ａ及びこれに対応するＵＲＬである場合には、削除後の参照情報格納部は、図３（ａ）、（ｂ）に示されるように、名称Ａ及びこれに対応するＵＲＬが削除された状態となる。
【００３１】
また、Ｓ４において当該参照情報を削除する旨の指示入力がない場合には、Ｓ５の削除工程は実行されない。なお、Ｓ３の問い合わせ画面を表示せずに、ブラウザ部２２が取得不能通知を受け取ると、参照情報管理部２４が直ちに当該参照情報の削除処理を実行するように構成してもよい。
【００３２】
次に、表示制御部２０は、上記削除された参照情報とサーバ上で同じディレクトリに格納されていた他の参照情報を表示部１０に表示するか否かをユーザに問い合わせる画面を表示する（Ｓ６）。ユーザから他の参照情報を表示する旨の指示入力があると（Ｓ７）、ブラウザ部２２が通信部１６を介して上記他の参照情報をサーバから取得し、表示制御部２０が表示部１０に上記他の参照情報を表示する（Ｓ８）。この場合のブラウザ部２２が、本発明の代替情報取得手段として機能する。例えば、サーバから削除された参照情報が、図４に示された“http://saiya.msre.tsuzuki-ku.ac.jp/〜ms/home2.html”である場合には、このＵＲＬと同じディレクトリに格納されていた他のＵＲＬ（図５のＵＲＬ一覧）が表示部１０に表示される。
【００３３】
なお、Ｓ７において、他の参照情報を表示する旨の指示入力がない場合には、Ｓ８の表示処理は実行されない。
【００３４】
図７（ａ）〜（ｅ）には、図６に示された動作中に、表示部１０に表示される画面の例が示される。
【００３５】
図７（ａ）は、図２（ａ）に示されたブックマークの例である。ユーザが操作部１２からページＡを選択した場合、サーバからページＡが既に削除されていると、図７（ｂ）に示されるように、「ページＡは存在しません。ブックマークから削除しますか？」との問い合わせが表示される。この問い合わせが、図６のＳ３における問い合わせ画面に相当する。
【００３６】
上記問い合わせに対して、ユーザは操作部１２により「はい」または「いいえ」を選択できる。「はい」を選択すると、ブックマークからページＡが削除され、図７（ｃ）に示されるように、「ページＡと同じサーバディレクトリにあるファイルを表示しますか」との問い合わせが表示される。この表示が、図６のＳ６における問い合わせ画面に相当する。
【００３７】
上記問い合わせに対して、ユーザは操作部１２により「はい」または「いいえ」を選択できる。「はい」を選択すると、図７（ｄ）に示されるように、サーバ上でページＡと同じサーバディレクトリにあるファイルが表示される。このファイルは、図５に示されるように、ＵＲＬのファイルであってよい。
【００３８】
ユーザが操作部１２から表示されたＵＲＬの内の１つを選択すると、図７（ｅ）に示されるように、当該ＵＲＬにより指示されるコンテンツデータが表示部１０に表示される。
【図面の簡単な説明】
【００３９】
【図１】本発明にかかる携帯端末の一実施形態の構成のブロック図である。
【図２】図１の携帯端末における記憶部の記憶領域に形成された参照情報格納部の構成例を示す図である。
【図３】図１の携帯端末における記憶部の記憶領域に形成された参照情報格納部の構成例を示す図である。
【図４】通信ネットワーク上のサーバのあるディレクトリに格納されたＵＲＬの一覧を示す図である。
【図５】サーバから取得不能通知を受け取ったときに、表示部に表示される画面の例を示す図である。
【図６】図１に示された携帯端末の動作の例のフロー図である。
【図７】図１の携帯端末における表示部に表示される画面の例を示す図である。
【符号の説明】
【００４０】
１０  表示部、１２  操作部、１４  記憶部、１６  通信部、１８  制御部、２０  表示制御部、２２  ブラウザ部、２４  参照情報管理部。
【図１】
2006301788.tif 000003
【図２】
2006301788.tif 000004
【図３】
2006301788.tif 000005
【図４】
2006301788.tif 000006
【図５】
2006301788.tif 000007
【図６】
2006301788.tif 000008
【図７】
2006301788.tif 000009